(57)【要約】【課題】センタリングマグネット内部の磁力線の非対称化を抑制し、画面上のフォーカス劣化を起こさない偏向ヨークのセンタリングマグネットを提供すること。【解決手段】センタリングマグネット２０は、リング体２１の２ケ所にツマミ部２２、２３を有している。一方のツマミ部２２のゲート口２４と反対方向のツマミ部２３の長さをゲート口２４側のツマミ部２２より１５ｍｍ程度長くして、更にツマミ部２３に肉薄部２５を設けておく。したがって強磁性体粉末が高密度に含まれる先端部２３ａを肉薄部２５から切り離すことができ、センタリングマグネット内部の磁力線を対称な状態にすることができる。【選択図】　図１
2004134174.tif 000002
【特許請求の範囲】
【請求項１】
画面の位置調整用の偏向ヨークのセンタリングマグネットであって、センタリングの回転調整用ツマミ部でゲート口と反対側のツマミ部の先端部を切断することを特徴とする偏向ヨークのセンタリングマグネット。
【請求項２】
画面の位置調整用の偏向ヨークのセンタリングマグネットであって、ゲート口を有する側のツマミ部とゲート口と反対側のツマミ部の両方の先端部を切断することを特徴とする偏向ヨークのセンタリングマグネット。
【発明の詳細な説明】
【０００１】
【発明の属する技術分野】
本発明は、カラーテレビジョン受像機、コンピュータディスプレイモニタ及びブラウン管三管式投射型受像機、プロジョクター映写機等に用いる偏向ヨークのセンタリングマグネットに関するものである。
【０００２】
【従来の技術】
偏向ヨークは陰極線管の電子銃から射出される電子ビームを偏向させ、画面を表示させるものであるが、電子銃の取り付けずれや地磁気の影響、またプロジェクションＴＶではレンズの取り付けずれやスクリーン等の位置関係から画面が陰極線管表示面センターや、スクリーンセンターからずれることがあり、このセンターずれを修正するためにＮ極、Ｓ極の２極に着磁されたリング状のセンタリングマグネットを取り付けていた。
【０００３】
以下、従来の偏向ヨークのついて説明する。図４は従来の偏向ヨークの分解斜視図であって、一対のセンタリングマグネット１は、偏向ヨーク本体２の小径側カバー３に取り付けられている（例えば、特許文献１参照。）。
【０００４】
図５は従来の偏向ヨークの斜視図であって、偏向ヨークは陰極線管４に取り付けられており、矢印８で示すようにスクリーン６上の画像７をスクリーン６の中央部に移動させるため、センタリングマグネットを開閉、回転させる。
【０００５】
図６は従来のセンタリングマグネットの平面図、図７〜図１４は従来のセンタリングマグネットの使用状態図である。図６において、センタリングマグネット１はリング体１ａにツマミ部１ｂを２ヶ所有し、ツマミ部１ｂ近傍にＮ極、Ｓ極の２極を持つように着磁し、リング体１ａの内部に磁力線９を生じるようにしている。１対のセンタリングマグネット１は図７に示すように互いの磁力線を打ち消す方向とし、図８に示すように重ねあわせた場合、リング体１ａの内部に生じる磁力線は相殺されて、磁力線のない状態を作れる。
【０００６】
また、画面位置を移動させる場合には図９に示すように互いのツマミ部１ｂを開くようにすることで、リング体１ａのＮ極からツマミ部１ｂのＳ極へ、ツマミ部１ｂのＮ極からリング体１ａのＳ極へ向かう磁力線を生じさせ、ツマミ部１ｂの開き量によって磁力線の強さを変化させ、２枚のマグネットを同時に回転させることによって磁力線の向きを変化させることで画面位置を調整可能としている。
【０００７】
センタリングマグネットは強磁性体の粉末をプラスチック樹脂に混ぜたものを射出成形して作られるのが一般的であり、強磁性体としては、着磁量と磁力線の温度変化性能に優れたアルニコ系の金属が広く用いられている。
【０００８】
【特許文献１】
特開２００２−７５２５０号公報
【０００９】
【発明が解決しようとする課題】
しかしながら、図６、図７、図８で示した状態は理想状態であり、実際のセンタリングマグネットは図１０に示すようにゲート口１０から射出された強磁性体の粉末を混ぜた樹脂が図中の矢印１１のように流れて、ゲート口１０と反対側のツマミ部１ｂまで到達するが、アルニコ等の粉末は粒子径が９０μｍ程度と大きく、重量も成形樹脂に比べて重い為、強磁性体粉末の密度が高い樹脂の方が粘度が低く、流れ易くなる。このため、図１１に示すようにゲート口１０と反対がわのツマミ部１ｂ高密度に強磁性体粉末が集まり、このようなセンタリングマグネットに着磁した場合、図１１のように高密度なツマミ部１ｂ側の磁力線９がゲート口１０側の磁力線より強くなる。
【００１０】
このように磁力線の強さが非対称となったマグネットと図１２に示す逆向きのマグネットを重ねた場合、図１３、図１４に示すようにツマミ部分を重なるように２枚を重ね合わせても内部の磁力線は完全には相殺されず、４極磁界が残るため図１４に示すように、センタリングマグネットの内部を通る電子ビーム１５は磁力線１３によって力１４を受け楕円に変形する。そしてこの変形が画面上でのフォーカスの劣化になるという問題を有していた。
【００１１】
【課題を解決するための手段】
この目的を達成するために、本発明の偏向ヨークはセンタリングマグネットのゲート口と反対方向のツマミ部分を切断して使用することとした。
【００１２】
本発明は上記構成によってセンタリングマグネット内部の磁力線の非対称化を抑制し、画面上のフォーカス劣化を起こさない偏向ヨークのセンタリングマグネットを提供できる。
【００１３】
【発明の実施の形態】
（実施の形態１）
図１（ａ）は本発明の実施の形態１における偏向ヨークのセンタリングマグネットの平面図、図１（ｂ）は本発明の実施の形態１における偏向ヨークのセンタリングマグネットの側面図、図１（ｃ）は本発明の実施の形態１における偏向ヨークのセンタリングマグネットのツマミ部の切断時の側面図、図２は本発明の実施の形態１における偏向ヨークのセンタリングマグネットの平面図であって、センタリングマグネット２０は、リング体２１の２ケ所にツマミ部２２、２３を有している。一方のツマミ部２２のゲート口２４と反対方向のツマミ部２３の長さをゲート口２４側のツマミ部２２より１５ｍｍ程度長くして、更にツマミ部２３に肉薄部２５を設けておく。したがってツマミ部２３は、図１（ｃ）に示すように肉薄部２５から先端部２３ａを切断して除去できる。
【００１４】
このため図２に示すように強磁性体粉末が高密度に含まれる先端部２３ａを切り離すことができ、センタリングマグネット内部の磁力線を図６のように対称な状態にすることができる。
【００１５】
（実施の形態２）
図３は本発明の実施の形態２における偏向ヨークのセンタリングマグネットの平面図である。強磁性体の密度の不均一さはゲート口と反対側のツマミ部で最大となるが、ゲート口側ツマミ部は逆に低密度となり、このゲート口側の低密度のツマミ部も磁力線の非対称の原因となる。
【００１６】
そこで図３のようにゲート口側ツマミ部２２とゲート口と反対側のツマミ部２３の両方の先端部２２ａ、２３ａを切断して使用することで、センタリングマグネット内部の磁力線を図６のように対称な状態にすることができる。
【００１７】
【発明の効果】
以上のように本発明によれば、センタリングマグネット内部の磁力線の非対称化を抑制し画面上のフォーカス劣化を起こさない偏向ヨークを提供できる。
【図面の簡単な説明】
【図１】（ａ）本発明の実施の形態１における偏向ヨークのセンタリングマグネットの平面図
（ｂ）本発明の実施の形態１における偏向ヨークのセンタリングマグネットの側面図
（ｃ）本発明の実施の形態１における偏向ヨークのセンタリングマグネットのツマミ部の切断時の側面図
【図２】本発明の実施の形態１における偏向ヨークのセンタリングマグネットの平面図
【図３】本発明の実施の形態２における偏向ヨークのセンタリングマグネットの平面図
【図４】従来の偏向ヨークの分解斜視図
【図５】従来の偏向ヨークの斜視図
【図６】従来のセンタリングマグネットの平面図
【図７】従来のセンタリングマグネットの使用状態図
【図８】従来のセンタリングマグネットの使用状態図
【図９】従来のセンタリングマグネットの使用状態図
【図１０】従来のセンタリングマグネットの使用状態図
【図１１】従来のセンタリングマグネットの使用状態図
【図１２】従来のセンタリングマグネットの使用状態図
【図１３】従来のセンタリングマグネットの使用状態図
【図１４】従来のセンタリングマグネットの使用状態図
【符号の説明】
２０　センタリングマグネット
２１　リング体
２２、２３　ツマミ部
２２ａ、２３ａ　先端部
【図１】
2004134174.tif 000003
【図２】
2004134174.tif 000004
【図３】
2004134174.tif 000005
【図４】
2004134174.tif 000006
【図５】
2004134174.tif 000007
【図６】
2004134174.tif 000008
【図７】
2004134174.tif 000009
【図８】
2004134174.tif 000010
【図９】
2004134174.tif 000011
【図１０】
2004134174.tif 000012
【図１１】
2004134174.tif 000013
【図１２】
2004134174.tif 000014
【図１３】
2004134174.tif 000015
【図１４】
2004134174.tif 000016